(57)【要約】      （修正有）【課題】大型の鋼管杭に必要な厚い金属板では機械加工でらせん状に加工するのは困難であるため、機械加工によるらせん状加工を必要としない鋼管杭を提供する。【解決手段】鋼管１２の側面に少なくとも二つのスリット状の開口部１４と、鋼管１２の先端に取付けられる鋼管杭先端部材１６とを備え、鋼管杭先端部材１６は、外周が一つの円弧及び二つの直線で形成された少なくとも二つの拡翼部１８と、外周が一つの円弧及び一つの直線で形成された接合部材２０から構成され、開口部１４には、拡翼部１８の外周の一つの直線部分が差し込まれ、拡翼部１８の外周のもう一方の直線部分が結合部材２０によって結合された鋼管杭１０を提供する。【選択図】図１
2020133344.tif 000002
【特許請求の範囲】
【請求項１】
地盤に回転貫入する円筒状の鋼管杭において、
前記鋼管杭は、鋼管及び前記鋼管の側面であって、前記鋼管杭の回転方向側の端部がもう一方の端部よりも前記鋼管杭の貫入方向側の端部に近くなるよう開口された少なくとも二つのスリット状の開口部と、前記鋼管の先端に取付けられる鋼管杭先端部材と、を備え、
前記鋼管杭先端部材は、板厚８ｍｍ以上の金属板であって、外周が一つの円弧及び二つの直線で形成された少なくとも二つの拡翼部と、外周が一つの円弧及び一つの直線で形成された接合部材から構成され、
前記開口部には、前記拡翼部の外周の一つの直線部分が前記開口部に差し込まれ、前記拡翼部の外周のもう一方の直線部分が前記結合部材によって結合されたことを特徴とする鋼管杭。
【請求項２】
前記拡翼部の二つの直線はほぼ直交することを特徴とする請求項１に記載の鋼管杭。
【請求項３】
前記接合部材は、前記鋼管の長手方向とほぼ直交する角度で取り付けられていることを特徴とする請求項１又は請求項２に記載の鋼管杭。
【請求項４】
前記拡翼部のうちの一つと前記接合部材が、一枚の金属板から互いがつながった状態で制作されることを特徴とする請求項１から請求項３までのいずれか一項に記載の鋼管杭。
【発明の詳細な説明】
【技術分野】
【０００１】
本発明は、軟弱地盤において建屋等の構造物を支持するために使用される地盤中に回転貫入させる鋼管杭に関するものである。
【背景技術】
【０００２】
一般に軟弱地盤であって地盤の支持力が充分でない場所に建築物を建設する場合には、建設機械により地下に存在する硬質地盤中にコンクリート杭又は鋼管杭を貫入させ、支持力を確保する。
【０００３】
コンクリート杭は鋼管杭に比べて安価であり、かつ高い支持力を有するので従来、多くの建設現場で採用されてきた。
【０００４】
しかしコンクリート杭の場合は杭の長さが建設現場では容易には調整できないという難点があるため、硬質地盤の深さが一定していないような複雑な地盤では使用が難しい。
【０００５】
一方、鋼管杭は切断又は溶接により容易に建設現場で長さの調節が可能であるため、硬質地盤の深さが一定していないような複雑な地盤で用いられることが多い。
【０００６】
ここで鋼管杭を貫入させた状態で打ち止める地層は支持層という。杭の支持力は、地盤の硬さと杭先端面積の積に比例するため、鋼管杭を使用する工法では、杭先端部に直径を拡大による支持面積の増加と地盤内への杭の回転貫入作用を兼ねて、羽根（以下、「拡翼部」と記載する。）が取り付けられる。
【０００７】
この拡翼部は地盤中への貫入性能を向上させるためらせん状に形成されることが多い。しかし金属板である拡翼部をらせん状に加工することは時間的にもコスト的にも施工者にとって負担が大きい。
【０００８】
そのためらせん状に加工することなく、同様の効果をもつ鋼管杭として例えば特許文献１のような鋼管杭先端部材が提案されている。
【先行技術文献】
【特許文献】
【０００９】
【特許文献１】特開２０１４−２０６０１３号公報
【発明の概要】
【発明が解決しようとする課題】
【００１０】
特許文献１の鋼管杭先端部材によれば、段落［００３１］にあるように略Ｙ字型に折り曲げ加工した翼７をスリット１３が形成された鋼管１１に挿入し、スリット１３の形状なりに翼７を曲げ戻しながら翼７の切り込み９端部が翼７と鋼管１１外周の取り付け部に位置するまで挿入する、とある。
【００１１】
このような方法で鋼管に翼を取り付けることは翼７の板厚が極めて薄い（厚さ１リ程度）場合の鋼管杭であれば可能なのかもしれない。
【００１２】
しかし一般的な住宅の建築に使用される鋼管杭であっても鋼管径は１０１ｍｍ（管の肉厚４．２ｍｍ）、拡翼部の板厚は８ｍｍ以上（通常は９ｍｍ程度）あるため特許文献１に記載の鋼管杭先端部材の翼取付方法で翼を取り付けよう鋼管のスリットに翼部分を押し込んでも、強度の明らかに弱い鋼管の側が変形することとなり、実際には制作することができない。
【００１３】
またもし特許文献１に記載の鋼管杭先端部材のように段落［００３１］にあるように「スリット１３の形状なりに翼７を曲げ戻しながら、翼７の切り込み端部９が翼７と鋼管１１外周の取り付け部に位置するまで挿入する」、との記載があり、これは翼７を塑性変形させながらスリットに挿入するということである。
【００１４】
仮に特許文献１の記載通りに鋼管杭先端部材が制作できたとしても、現在の建築基準法では使用前に拡翼部が塑性変形したものは使用することが認められていない。
【００１５】
このような特許文献１に記載の鋼管杭先端部材は種々の課題を有しているため、実現することは難しいという課題があった。
【００１６】
本発明はこの課題に鑑み、らせん状の拡翼部と同等程度の回転貫入性能を持ちながら、らせん状に機械加工するという工程を不要とした鋼管杭を提供することを目的とする。
【課題を解決するための手段】
【００１７】
（１）  本発明に係る鋼管杭は、  地盤に回転貫入する円筒状の鋼管杭において、前記鋼管杭は、鋼管及び前記鋼管の側面であって、前記鋼管杭の回転方向側の端部がもう一方の端部よりも前記鋼管杭の貫入方向側の端部に近くなるよう開口された少なくとも二つのスリット状の開口部と、前記鋼管の先端に取付けられる鋼管杭先端部材と、を備え、前記鋼管杭先端部材は、板厚が８ｍｍ以上の金属板であって、外周が一つの円弧及び二つの直線で形成された少なくとも二つの拡翼部と、外周が一つの円弧及び一つの直線で形成された接合部材から構成され、前記開口部には、前記拡翼部の外周の一つの直線部分が前記開口部に差し込まれ、前記拡翼部の外周のもう一方の直線部分が前記結合部材によって結合されたことを特徴とする。
【００１８】
（２）  本発明に係る鋼管杭は、（１）に記載の鋼管杭において、前記拡翼部の二つの直線はほぼ直交することを特徴とする。
【００１９】
（３）  本発明に係る鋼管杭は、（１）又は（２）に記載の鋼管杭において、前記接合部材は、前記鋼管の長手方向とほぼ直交する角度で取り付けられていることを特徴とする。
【００２０】
（４）  本発明に係る鋼管杭は、（１）から（３）のいずれか一つに記載の鋼管杭において、前記拡翼部のうちの一つと前記接合部材が、一枚の金属板から互いがつながった状態で制作されることを特徴とする。
【発明の効果】
【００２１】
（１）に記載の鋼管杭によれば、鋼管杭の拡翼部はらせん状の機械加工を必要とせず、板の切断による加工だけで制作することが可能となる。また鋼管にスリット状の開口部を設け、その開口部に拡翼部を差し込み、結合部材と結合するだけでらせん状の拡翼部をもつ鋼管杭と同様の機能を持たせることが可能となる。
【００２２】
（２）に記載の鋼管杭によれば、拡翼部の外周の二つの直線部分をほぼ直交させることでそれぞれの鋼管杭の拡翼部にかかる応力をほぼ同じにでき、荷重の偏りを防止することが可能となる。
【００２３】
（３）に記載の鋼管杭によれば、接合部材を鋼管杭の長手方向とほぼ直交する角度とすることで鋼管杭の地盤への支持力を最大化させることが可能となる。
【００２４】
（４）に記載の鋼管杭によれば、二つの金属板から鋼管杭先端部材を制作することが可能となり、制作に必要な時間とコストを削減することが可能となる。
【図面の簡単な説明】
【００２５】
【図１】本発明に係る鋼管杭の外形図である。
【図２】本発明に係る鋼管杭の鋼管の外形図である。
【図３】本発明に係る鋼管杭の側面図である。
【図４】本発明に係る鋼管杭の底面図である。
【発明を実施するための形態】
【００２６】
以下に添付図面を参照しながら本発明の好適な実施形態について説明する。かかる実施形態は発明の理解を容易とするための例示に過ぎず、特に断る場合を除き、本発明を限定するものではない。なお本明細書及び図面において実質的に同一の機能、構成を有する要素については同一の符号を付することにより重複説明を省略し、また本発明に直接関係のない要素は図示を省略する。
【００２７】
図１は鋼管杭１０の外形を示した図であり、鋼管杭１０は鋼管１２と、鋼管１２に備えられた開口部１４、鋼管杭先端部材１６から構成されている。
【００２８】
鋼管杭先端部材１６は二つの拡翼部１８および一つの接合部材２０から構成されている。この拡翼部１８および接合部材２０は少なくとも８ｍｍ以上の板厚の金属板から構成されている。
【００２９】
図２は鋼管杭１０の外径図である。鋼管１２はスリット状の開口部１４を二つ備えており、開口部１４は鋼管杭の回転貫入方向（図１、図２では下側方向）に向かって斜めになるように開口されている。
【００３０】
拡翼部１８は外周の一つの直線部分が鋼管１２に備えられた開口部１４に差し込んだ状態で接合され、拡翼部１８のもう一つの直線部分は接合部材２０に接合されている。
【００３１】
なお鋼管杭１０の強度を確保するため開口部１４と拡翼部１８の接合部分および拡翼部１８と接合部材２０の接合部分は全周溶接とすることが望ましい。
【００３２】
図３は鋼管杭１０の側面図である。スリット状の開口部１４は鋼管杭１０の回転貫入方向に向かって形成されているので、図３のように拡翼部１８は鋼管１２に斜めに取り付けられることになる。また接合部材２０は図３のように鋼管１２の長手方向とほぼ直交する角度で取り付けられることが望ましい。これにより鋼管杭１０の回転貫入時に出来るだけ貫入しやすくなると同時に、杭そのものの支持力を向上させることが可能となるためである。
【００３３】
図４は鋼管杭１０の底面図である。この図４のように鋼管１２の内側まで拡翼部１８は差し込まれ、鋼管１２の外側で接合部材２０と接合されている。これは開口部１４が大きくなりすぎると鋼管杭１０の強度が低下するので鋼管１２のスリット状の開口部１４が大きくなりすぎないようにするためである。
【００３４】
鋼管杭１０は機械加工されたらせん状の拡翼部は有しておらず、金属板から切り出された板から形成された拡翼部のみ有しているが、らせん状に機械加工された拡翼部を有する鋼管杭と同様に回転貫入し、構造物を支持することが可能である。
【００３５】
以上、添付図面を参照しながら本発明の好適な実施形態について説明した。
【００３６】
当業者であれば、特許請求の範囲に記載された範囲内において、各種の変更例又は修正例に想到し得ることは明らかであり、それらについても当然に本発明の技術的範囲に属するものと了解される。
【産業上の利用可能性】
【００３７】
本発明は、軟弱地盤であって地盤の支持力が充分でない場所に建築物を建設する場合に、地下に存在する硬質地盤中に貫入させ、支持力を確保する鋼管杭として利用することができる。
【符号の説明】
【００３８】
１０：鋼管杭、１２：鋼管、１４：開口部、１６：鋼管杭先端部材、１８：拡翼部、２０：接合部材
【図１】
2020133344.tif 000003
【図２】
2020133344.tif 000004
【図３】
2020133344.tif 000005
【図４】
2020133344.tif 000006
【手続補正書】
【提出日】令和1年7月11日(2019.7.11)
【手続補正１】
【補正対象書類名】特許請求の範囲
【補正対象項目名】請求項１
【補正方法】変更
【補正の内容】
【請求項１】
地盤に回転貫入する円筒状の鋼管杭において、
前記鋼管杭は、鋼管及び前記鋼管の先端部近傍の側面であって、前記鋼管杭の回転方向側の端部がもう一方の端部よりも前記鋼管杭の貫入方向側の端部に近くなるよう開口された少なくとも二つのスリット状の開口部と、前記鋼管の先端部近傍に取付けられる鋼管杭先端部材と、を備え、
前記鋼管杭先端部材は、板厚８ｍｍ以上の金属板であって、外周が一つの円弧及び二つの直線で形成された少なくとも二つの拡翼部と、外周が一つの円弧及び一つの直線で形成された接合部材から構成され、
前記開口部には、前記二つの拡翼部の外周の一つの直線部分が前記開口部のそれぞれに差し込まれ、前記二つの拡翼部のそれぞれの外周のもう一方の直線部分が前記鋼管の長手方向に対してほぼ直交する方向に設置された前記接合部材によって接合されたことを特徴とする鋼管杭。
【手続補正２】
【補正対象書類名】明細書
【補正対象項目名】００１７
【補正方法】変更
【補正の内容】
【００１７】
（１）  本発明に係る鋼管杭は、地盤に回転貫入する円筒状の鋼管杭において、前記鋼管杭は、鋼管及び前記鋼管の先端部近傍の側面であって、前記鋼管杭の回転方向側の端部がもう一方の端部よりも前記鋼管杭の貫入方向側の端部に近くなるよう開口された少なくとも二つのスリット状の開口部と、前記鋼管の先端部近傍に取付けられる鋼管杭先端部材と、を備え、前記鋼管杭先端部材は、板厚が８ｍｍ以上の金属板であって、外周が一つの円弧及び二つの直線で形成された少なくとも二つの拡翼部と、外周が一つの円弧及び一つの直線で形成された接合部材から構成され、前記開口部には、前記二つの拡翼部の外周の一つの直線部分が前記開口部のそれぞれに差し込まれ、前記二つの拡翼部のそれぞれの外周のもう一方の直線部分が前記鋼管の長手方向に対してほぼ直交する方向に設置された前記接合部材によって接合されたことを特徴とする。
【手続補正３】
【補正対象書類名】明細書
【補正対象項目名】００２１
【補正方法】変更
【補正の内容】
【００２１】
（１）に記載の鋼管杭によれば、鋼管杭の拡翼部はらせん状の機械加工を必要とせず、板の切断による加工だけで制作することが可能となる。また鋼管にスリット状の開口部を設け、その開口部に拡翼部を差し込み、鋼管杭が地盤に貫入される鋼管の長手方向に対してほぼ直交する方向に設置された接合部材と接合するだけでらせん状の拡翼部をもつ鋼管杭と同様の機能を持たせることが可能となる。